(57)【要約】【課題】発信機や特別なソフトウェアを組み込むことなく、盗難にあった情報処理装置がどこからインターネットにアクセスしたかを追跡することが可能な方法およびそのシステムを提案する。【解決手段】所定のデジタルデータに関連付けられるクッキーを情報処理装置に対して発行する段階と、情報処理装置を特定する端末認識情報に関連付けてクッキーをクッキーデータベースに格納する段階と、デジタルデータにリンクするリンクオブジェクトをＷｅｂブラウザにより閲覧可能なＷｅｂページ上に配置する段階と、情報処理装置のＷｅｂブラウザがＷｅｂページ上のリンクオブジェクトにアクセスしてデジタルデータを要求する際に送出するクッキーを取得する段階と、クッキーに基づいて情報処理装置の端末認識情報を取得する段階と、端末認識情報に基づいて情報処理装置による少なくともアクセス時刻とＩＰアドレスを含むアクセス情報を通知する段階とを含む。【選択図】      図１
2004227280.tif 000002
【特許請求の範囲】
【請求項１】
Ｗｅｂサーバが管理するデジタルデータを取得する際に前記Ｗｅｂサーバが送出するクッキーを受け入れて所定の記憶領域に保存し前記デジタルデータを再び取得する際に前記記憶領域に保存されたクッキーを前記Ｗｅｂサーバに送出するクッキー処理が可能なＷｅｂブラウザを搭載する情報処理装置の追跡方法であって、
所定のデジタルデータに関連付けられるクッキーを前記情報処理装置に対して発行する段階と、
前記情報処理装置を特定する端末認識情報に関連付けて前記クッキーをクッキーデータベースに格納する段階と、
前記デジタルデータにリンクするリンクオブジェクトを前記Ｗｅｂブラウザにより閲覧可能なＷｅｂページ上に配置する段階と、
前記情報処理装置のＷｅｂブラウザが前記Ｗｅｂページ上のリンクオブジェクトにアクセスして前記デジタルデータを要求する際に送出するクッキーを取得する段階と、
前記情報処理装置のＷｅｂブラウザから送出される前記クッキーに基づいて前記クッキーデータベースを検索し前記情報処理装置の端末認識情報を取得する段階と、
前記端末認識情報に基づいて前記情報処理装置による少なくともアクセス時刻とＩＰアドレスを含むアクセス情報を通知する段階と、を含む情報処理装置の追跡方法。
【請求項２】
Ｗｅｂサーバが管理するデジタルデータを取得する際に前記Ｗｅｂサーバが送出するクッキーを受け入れて所定の記憶領域に保存し前記デジタルデータを再び取得する際に前記記憶領域に保存されたクッキーを前記Ｗｅｂサーバに送出するクッキー処理が可能なＷｅｂブラウザを搭載する情報処理装置の追跡方法であって、
前記情報処理装置からの登録要求に応じて所定のデジタルデータに関連付けられるクッキーを前記情報処理装置に対して発行する段階と、
ユーザの連絡先情報を含む前記情報処理装置を特定する端末認識情報に関連付けて前記クッキーをクッキーデータベースに格納する段階と、
前記デジタルデータにリンクするリンクオブジェクトを前記Ｗｅｂブラウザにより閲覧可能なＷｅｂページ上に配置する段階と、
前記情報処理装置のＷｅｂブラウザが前記Ｗｅｂページ上のリンクオブジェクトにアクセスして前記デジタルデータを要求する際に送出するクッキーを取得する段階と、
前記情報処理装置のＷｅｂブラウザから送出される前記クッキーに基づいて前記クッキーデータベースを検索し前記情報処理装置の端末認識情報を取得する段階と、
前記端末認識情報に基づいて前記情報処理装置による少なくともアクセス時刻とＩＰアドレスを含むアクセス情報を前記端末認識情報に含まれる連絡先情報に基づいて通知する段階と、を含む情報処理装置の追跡方法。
【請求項３】
Ｗｅｂサーバが管理するデジタルデータを取得する際に前記Ｗｅｂサーバが送出するクッキーを受け入れて所定の記憶領域に保存し前記デジタルデータを再び取得する際に前記記憶領域に保存されたクッキーを前記Ｗｅｂサーバに送出するクッキー処理が可能なＷｅｂブラウザを搭載する情報処理装置の追跡方法であって、
所定のデジタルデータに関連付けられるクッキーを前記情報処理装置に対して発行する段階と、
前記情報処理装置を特定する端末認識情報に関連付けて前記クッキーをクッキーデータベースに格納する段階と、
前記デジタルデータにリンクするリンクオブジェクトを前記Ｗｅｂブラウザにより閲覧可能なＷｅｂページ上に配置する段階と、
前記情報処理装置の追跡を開始する旨の通知を受け付けて、前記情報処理装置を追跡対象リストに登録する段階と、
前記情報処理装置のＷｅｂブラウザが前記Ｗｅｂページ上のリンクオブジェクトにアクセスして前記デジタルデータを要求する際に送出するクッキーを取得する段階と、
前記情報処理装置のＷｅｂブラウザから送出される前記クッキーに基づいて、前記追跡対象リスト中に登録された情報処理装置である場合には、前記クッキーデータベースを検索し前記情報処理装置の端末認識情報を取得する段階と、
前記端末認識情報に基づいて前記情報処理装置による少なくともアクセス時刻とＩＰアドレスを含むアクセス情報を通知する段階と、を含む情報処理装置の追跡方法。
【請求項４】
Ｗｅｂサーバが管理するデジタルデータを取得する際に前記Ｗｅｂサーバが送出するクッキーを受け入れて所定の記憶領域に保存し前記デジタルデータを再び取得する際に前記記憶領域に保存されたクッキーを前記Ｗｅｂサーバに送出するクッキー処理が可能なＷｅｂブラウザを搭載する情報処理装置を追跡する情報処理装置追跡システムであって、
前記情報処理装置のＷｅｂブラウザにより閲覧可能なＷｅｂページに配置されるリンクオブジェクトのリンク元となる所定のデジタルデータを管理し、前記Ｗｅｂブラウザからの要求に応じて前記デジタルデータを前記情報処理装置に送出するデジタルデータ管理手段と、
前記デジタルデータに関連付けられるクッキーを前記情報処理装置に対して発行するクッキー発行手段と、
前記情報処理装置に対して発行したクッキーと前記情報処理装置を特定する端末認識情報とを関連付けて格納するクッキーデータベースと、
前記情報処理装置のＷｅｂブラウザが前記デジタルデータを要求する際に前記情報処理装置に保存されているクッキーを添付する場合、前記クッキーに基づいて前記クッキーデータベースを検索し前記情報処理装置の端末認識情報を取得する認識情報取得手段と、
前記認識情報取得手段により取得した端末認識情報に基づいて前記情報処理装置による少なくともアクセス時刻とＩＰアドレスを含むアクセス情報を通知するアクセス情報通知手段と、を備える情報処理装置の追跡システム。
【請求項５】
Ｗｅｂサーバが管理するデジタルデータを取得する際に前記Ｗｅｂサーバが送出するクッキーを受け入れて所定の記憶領域に保存し前記デジタルデータを再び取得する際に前記記憶領域に保存されたクッキーを前記Ｗｅｂサーバに送出するクッキー処理が可能なＷｅｂブラウザを搭載する情報処理装置の追跡システムであって、
前記情報処理装置のＷｅｂブラウザにより閲覧可能なＷｅｂページに配置されるリンクオブジェクトのリンク元となる所定のデジタルデータを管理し、前記Ｗｅｂブラウザからの要求に応じて前記デジタルデータを前記情報処理装置に送出するデジタルデータ管理手段と、
前記情報処理装置からの登録要求に応じて所定のデジタルデータに関連付けられるクッキーを前記情報処理装置に対して発行するクッキー発行手段と、
前記情報処理装置に対して発行したクッキーとユーザの連絡先情報を含む前記情報処理装置を特定する端末認識情報とを関連付けて格納するクッキーデータベースと、
前記情報処理装置のＷｅｂブラウザが前記デジタルデータを要求する際に前記情報処理装置に保存されているクッキーを添付する場合、前記クッキーに基づいて前記クッキーデータベースを検索し前記情報処理装置の端末認識情報を取得する認識情報取得手段と、
前記認識情報取得手段により取得した端末認識情報中の連絡先情報に基づいて前記情報処理装置による少なくともアクセス時刻とＩＰアドレスを含むアクセス情報を通知するアクセス情報通知手段と、を含む情報処理装置の追跡システム。
【発明の詳細な説明】
【０００１】
【発明の属する技術分野】
本発明は情報処理装置の追跡方法および情報処理装置の追跡システムに関し、特に、盗難にあったパーソナルコンピュータやＰＤＡなどの情報処理装置を追跡するための技術に関する。
【０００２】
【従来の技術】
パーソナルコンピュータ（ＰＣ）や携帯情報端末（ＰＤＡ：Ｐｅｒｓｏａｌ  Ｄｉｇｉｔａｌ  Ａｓｓｉｓｔａｎｃｅ）などの情報処置装置が盗難にあった場合に、これを追跡するための方法としては、情報処理装置に予め発信機を組み込んでおくことが考えられる。
また、情報処理装置に予め特別なソフトウェアを組み込んでおき、この情報処理装置によりインターネットに接続された場合に、組み込まれているソフトウェアが自動的に監視センターに通知を行うようにすることが考えられる。
【０００３】
【発明が解決しようとする課題】
情報処理装置に発信機を組み込むためには、発信機組み込みのための内部空間を用意する必要があり、小型化が望まれるノートパソコンやＰＤＡなどの場合には設計上の制約が大きくなり、またコストを低減することが困難となる。
また、情報処理装置に特別なソフトウェアを組み込む場合も、インストールの手間やコスト上の問題があり、またハードディスクなどの記憶手段に対して使用可能な容量に影響を与えるという問題がある。
【０００４】
情報処理装置がインターネットを介して所定のＷｅｂサーバにアクセスを行った場合に、そのアクセスログから接続元のＩＰアドレスとアクセスした時刻とを特定することができれば、次のような手順で情報処理装置の現在位置を確認することが可能となる。
▲１▼ＮＩＣ（Ｎｅｔｗｏｒｋ  Ｉｎｆｏｒｍａｔｉｏｎ  Ｃｅｎｔｅｒ）のＷＨＯＩＳデータベースにより、該当するＩＰアドレスがどの組織（ＩＳＰ：Ｉｎｔｅｒｎｅｔ  Ｓｅｒｖｉｃｅ  Ｐｒｏｖｉｄｅｒ）に割り当てられたものかを判定する。
▲２▼ＩＳＰでは、契約者からのアクセス要求に基づいて割り当てを行ったＩＰアドレスとその時刻を記録している。このため、ＩＰアドレスとアクセス時刻からＩＳＰの契約者の情報を取得することが可能である。
▲３▼ダイヤルアップ接続の場合、電話会社の通話記録をＩＳＰの記録と照合することにより、ダイヤルアップした電話回線の加入者情報を取得することができる。
【０００５】
なお、▲２▼▲３▼の手順は、盗難にあった情報処理装置の所有者からの通報を受けて警察が裁判所から捜査令状を得た上で行うことが可能となるものであり、電気通信事業法によりＩＳＰなどが直接利用者に情報提供を行うことは禁じられている。
したがって、盗難にあった情報処理装置を用いてインターネットに接続し、所定のＷｅｂサーバもしくはＷｅｂページにアクセスした場合に、その情報処理装置を特定するための情報を取得できれば、ＩＳＰや電話会社に記録された情報に基づいて情報処理装置を追跡することが可能になると考えられる。
【０００６】
本発明では、発信機や特別なソフトウェアを組み込むことなく、盗難にあった情報処理装置がどこからインターネットにアクセスしたかを追跡することが可能な方法およびそのシステムを提案する。
【０００７】
【課題を解決するための手段】
本発明に係る情報処理装置の追跡方法は、Ｗｅｂサーバが管理するデジタルデータを取得する際にＷｅｂサーバが送出するクッキーを受け入れて所定の記憶領域に保存しデジタルデータを再び取得する際に記憶領域に保存されたクッキーをＷｅｂサーバに送出するクッキー処理が可能なＷｅｂブラウザを搭載する情報処理装置の追跡方法であって、所定のデジタルデータに関連付けられるクッキーを情報処理装置に対して発行する段階と、情報処理装置を特定する端末認識情報に関連付けてクッキーをクッキーデータベースに格納する段階と、デジタルデータにリンクするリンクオブジェクトをＷｅｂブラウザにより閲覧可能なＷｅｂページ上に配置する段階と、情報処理装置のＷｅｂブラウザがＷｅｂページ上のリンクオブジェクトにアクセスしてデジタルデータを要求する際に送出するクッキーを取得する段階と、情報処理装置のＷｅｂブラウザから送出されるクッキーに基づいてクッキーデータベースを検索し情報処理装置の端末認識情報を取得する段階と、端末認識情報に基づいて情報処理装置による少なくともアクセス時刻とＩＰアドレスを含むアクセス情報を通知する段階とを含む。
【０００８】
また、本発明の他の観点による情報処理装置の追跡方法は、情報処理装置からの登録要求に応じて所定のデジタルデータに関連付けられるクッキーを情報処理装置に対して発行する段階と、ユーザの連絡先情報を含む情報処理装置を特定する端末認識情報に関連付けてクッキーをクッキーデータベースに格納する段階と、デジタルデータにリンクするリンクオブジェクトをＷｅｂブラウザにより閲覧可能なＷｅｂページ上に配置する段階と、情報処理装置のＷｅｂブラウザがＷｅｂページ上のリンクオブジェクトにアクセスしてデジタルデータを要求する際に送出するクッキーを取得する段階と、情報処理装置のＷｅｂブラウザから送出されるクッキーに基づいてクッキーデータベースを検索し情報処理装置の端末認識情報を取得する段階と、端末認識情報に基づいて情報処理装置による少なくともアクセス時刻とＩＰアドレスを含むアクセス情報を端末認識情報に含まれる連絡先情報に基づいて通知する段階とを含む。
【０００９】
本発明のさらに他の観点に係る情報処理装置の追跡方法は、所定のデジタルデータに関連付けられるクッキーを情報処理装置に対して発行する段階と、情報処理装置を特定する端末認識情報に関連付けてクッキーをクッキーデータベースに格納する段階と、デジタルデータにリンクするリンクオブジェクトをＷｅｂブラウザにより閲覧可能なＷｅｂページ上に配置する段階と、情報処理装置の追跡を開始する旨の通知を受け付けて、情報処理装置を追跡対象リストに登録する段階と、情報処理装置のＷｅｂブラウザがＷｅｂページ上のリンクオブジェクトにアクセスしてデジタルデータを要求する際に送出するクッキーを取得する段階と、情報処理装置のＷｅｂブラウザから送出されるクッキーに基づいて、追跡対象リスト中に登録された情報処理装置である場合には、クッキーデータベースを検索し情報処理装置の端末認識情報を取得する段階と、端末認識情報に基づいて情報処理装置による少なくともアクセス時刻とＩＰアドレスを含むアクセス情報を通知する段階とを含む。
【００１０】
本発明に係る情報処理装置の追跡システムは、Ｗｅｂサーバが管理するデジタルデータを取得する際にＷｅｂサーバが送出するクッキーを受け入れて所定の記憶領域に保存しデジタルデータを再び取得する際に記憶領域に保存されたクッキーをＷｅｂサーバに送出するクッキー処理が可能なＷｅｂブラウザを搭載する情報処理装置を追跡する情報処理装置追跡システムであって、情報処理装置のＷｅｂブラウザにより閲覧可能なＷｅｂページに配置されるリンクオブジェクトのリンク元となる所定のデジタルデータを管理し、Ｗｅｂブラウザからの要求に応じてデジタルデータを情報処理装置に送出するデジタルデータ管理手段と、デジタルデータに関連付けられるクッキーを情報処理装置に対して発行するクッキー発行手段と、情報処理装置に対して発行したクッキーと情報処理装置を特定する端末認識情報とを関連付けて格納するクッキーデータベースと、情報処理装置のＷｅｂブラウザがデジタルデータを要求する際に情報処理装置に保存されているクッキーを添付する場合、クッキーに基づいてクッキーデータベースを検索し情報処理装置の端末認識情報を取得する認識情報取得手段と、認識情報取得手段により取得した端末認識情報に基づいて情報処理装置による少なくともアクセス時刻とＩＰアドレスを含むアクセス情報を通知するアクセス情報通知手段とを備える。
【００１１】
また、本発明の他の観点に係る情報処理装置の追跡システムは、情報処理装置のＷｅｂブラウザにより閲覧可能なＷｅｂページに配置されるリンクオブジェクトのリンク元となる所定のデジタルデータを管理し、Ｗｅｂブラウザからの要求に応じてデジタルデータを情報処理装置に送出するデジタルデータ管理手段と、情報処理装置からの登録要求に応じて所定のデジタルデータに関連付けられるクッキーを情報処理装置に対して発行するクッキー発行手段と、情報処理装置に対して発行したクッキーとユーザの連絡先情報を含む情報処理装置を特定する端末認識情報とを関連付けて格納するクッキーデータベースと、情報処理装置のＷｅｂブラウザがデジタルデータを要求する際に情報処理装置に保存されているクッキーを添付する場合、クッキーに基づいてクッキーデータベースを検索し情報処理装置の端末認識情報を取得する認識情報取得手段と、認識情報取得手段により取得した端末認識情報中の連絡先情報に基づいて情報処理装置による少なくともアクセス時刻とＩＰアドレスを含むアクセス情報を通知するアクセス情報通知手段とを含む。
【００１２】
本発明のさらに他の観点に係る情報処理装置の追跡システムは、情報処理装置のＷｅｂブラウザにより閲覧可能なＷｅｂページに配置されるリンクオブジェクトのリンク元となる所定のデジタルデータを管理し、Ｗｅｂブラウザからの要求に応じてデジタルデータを情報処理装置に送出するデジタルデータ管理手段と、デジタルデータに関連付けられるクッキーを情報処理装置に対して発行するクッキー発行手段と、情報処理装置に対して発行したクッキーと情報処理装置を特定する端末認識情報とを関連付けて格納するクッキーデータベースと、情報処理装置の追跡を開始する旨の通知を受け付けて、情報処理装置を追跡対象リストに登録する追跡リスト管理手段と、情報処理装置のＷｅｂブラウザがデジタルデータを要求する際に情報処理装置に保存されているクッキーを添付する場合、クッキーに基づいて追跡対象リスト中に登録された情報処理装置である場合にはクッキーデータベースを検索し情報処理装置の端末認識情報を取得する認識情報取得手段と、認識情報取得手段により取得した端末認識情報に基づいて情報処理装置による少なくともアクセス時刻とＩＰアドレスを含むアクセス情報を通知するアクセス情報通知手段とを備える。
【００１３】
【発明の実施の形態】
〔基本構成〕
本発明の基本構成を図１に基づいて説明する。
追跡処理の対象となる情報処理装置４０は、ノートパソコン、デスクトップパソコン、ＰＤＡ、その他のコンピュータ端末で構成され、インターネット上で公開されているＷｅｂページにアクセス可能な一般的なＷｅｂブラウザ４１を搭載している。Ｗｅｂブラウザ４１は、たとえば、Ｍｉｃｒｏｓｏｆｔ  Ｉｎｔｅｒｎｅｔ  Ｅｘｐｌｏｒｅｒ（登録商標）、Ｎｅｔｓｃａｐｅ  Ｎａｖｉｇａｔｏｒ（登録商標）などを採用することができ、インターネット上に存在するデジタルデータを取得する際に、そのデジタルデータを管理するＷｅｂサーバが送出するクッキーを受け入れて所定の記憶領域に保存し、同じＷｅｂサーバにデジタルデータを要求する際に記憶領域に保存されたクッキーをそのＷｅｂサーバに送出するクッキー処理部４２を備えている。クッキー処理部４２により受け入れられたクッキーは、たとえばハードディスクなどの所定領域に格納され、クッキーデータベース４３を構成する。
【００１４】
このようなＷｅｂブラウザ４１を備える情報処理装置４０を追跡するための追跡用サーバ１０は、デジタルデータ管理手段１１、デジタルデータ格納部１２、クッキー発行手段１３、クッキーデータベース１４、認識情報取得手段１５、アクセス情報通知手段１６を含んでいる。
デジタルデータ管理手段１１は、インターネット上で公開されているＷｅｂページ２０に配置されるリンクオブジェクト２１のリンク元となるデジタルデータを管理するものである。デジタルデータ格納部１２は、Ｗｅｂページ２０のリンクオブジェクト２１のリンク元となるデジタルデータを格納するものである。
【００１５】
デジタルデータ管理手段１１は、Ｗｅｂブラウザ４１がＷｅｂページ２０にアクセスすることでリンクオブジェクト２１のリンク元となるデジタルデータを要求してきた場合に、デジタルデータ格納部１２に格納されているデジタルデータを情報処理装置４０に送出する。
クッキー発行手段１３は、Ｗｅｂブラウザ４１からの要求に応じて盗難時における追跡登録を行うものであり、Ｗｅｂブラウザ４１に対して情報処理装置４０を特定するための端末認識情報を送信させるとともに、リンクオブジェクト２１のリンク元であるデジタルデータに関連付けられるクッキーを情報処理装置４０に対して発行し情報処理装置４０のクッキーデータベース４３に保存させる。クッキーデータベース１４は、情報処理装置４０に対して発行したクッキーとＷｅｂブラウザ４１から送出された情報処理装置４０を特定するための端末認識情報とを関連付けて格納するものである。
【００１６】
ここで、クッキー発行手段１３がＷｅｂブラウザ４１に対して送出させる端末認識情報は、情報処理装置４０の装置ＩＤ、ＭＡＣアドレスやユーザＩＤ、携帯電話のメールアドレスなどのユーザの連絡先情報とすることができる。また、クッキー発行手段１３が情報処理装置４０に対して発行するクッキーは、一意性のある任意の文字列で構成することが可能であり、端末認識情報として取得した装置ＩＤ、ユーザＩＤ、連絡先情報などを含ませるように構成することも可能である。
認識情報取得手段１５は、情報処理装置４０のＷｅｂブラウザ４１がＷｅｂページ２０にアクセスしてリンクオブジェクト２１のリンク元であるデジタルデータを要求する際にクッキーデータベース４３に保存されているクッキーを送出する場合、このクッキーに基づいて追跡用サーバ１０内のクッキーデータベース１４を検索し、該当する情報処理装置４０の端末認識情報を取得する。
【００１７】
アクセス情報通知手段１６は、認識情報取得手段１５により取得した端末認識情報に基づいて情報処理装置４０によるアクセス情報を通知する。アクセス情報通知手段１６は、端末認識情報により特定されるユーザに対して該当する情報処理装置４０からアクセスがあったことだけを通知し、アクセスされたＩＰアドレスとアクセス時刻とを警察からの要求に応じて開示する用意がある旨の通知を行う。
リンクオブジェクト２１は、追跡用サーバ１０が管理するＷｅｂページに配置することも可能であり、１または複数のＷｅｂサーバが管理するＷｅｂページにそれぞれ配置するように構成できる。
【００１８】
〔第１実施形態〕
本発明の第１実施形態が採用される情報処理装置追跡システムを図２に示す。この情報処理装置追跡システムは、１または複数の公開されているＷｅｂページにバナー広告を提供し、Ｗｅｂページにアクセスして画像データや音声データなどのデジタルデータを取得しようとする情報処理装置から得られるクッキーに基づいて、盗難にあった情報処理装置を追跡するものである。
追跡対象となる情報処理装置４００は、ノートパソコン、デスクトップパソコン、ＰＤＡなどの一般的なコンピュータであり、Ｗｅｂサーバから送信されるクッキーを受け入れて所定の記憶領域に格納可能なＷｅｂブラウザ４０１を備えている。Ｗｅｂブラウザ４０１は、Ｗｅｂページを閲覧する際にＷｅｂサーバから送信されてくるクッキーを受け入れて、情報処理装置４００のハードディスクなどの記憶手段内の所定領域に構築されるクッキーデータベース４０２にクッキーを格納する。
【００１９】
追跡用サーバ１００は、デジタルデータとしてバナー広告１０１を管理している。このバナー広告１０１は、広告主からの依頼により作成された画像データや音声データまたはこれらの組み合わせで構成され、たとえば、図３に示すような広告情報を有する画像データとすることができる。
追跡用サーバ１００は、情報処理装置４００からの要求に基づいて登録を受け付けるための登録手段１０３を備えている。登録手段１０３は、追跡登録を受け付けるためのＷｅｂページを管理し、情報処理装置４００のＷｅｂブラウザ４０１から登録要求があった場合には登録フォーム１０２を送信して情報処理装置４００のユーザに所定の情報を入力させる。
【００２０】
登録フォーム１０２は、たとえば、図４のように構成することができる。この例では、追跡情報の通知を受けるためのメールアドレスを入力するアドレス入力ボックス１１１、パスワード入力ボックス１１２、登録ボタン１１３などが配置されている。ユーザが書面や電話による通知を受けたい場合には、ユーザの住所、氏名、携帯電話番号などの連絡先情報を入力する欄を設けることも可能である。
登録手段１０３は、情報処理装置４００から送信されてくる情報を端末認識情報として受信し、バナー広告１０１に関連付けたクッキーを情報処理装置４００に対して発行する。登録手段１０３は、このクッキーを情報処理装置４００のＷｅｂブラウザ４０１に送信するとともに、端末認識情報に関連付けてクッキーデータベース１０４に格納する。
【００２１】
追跡用サーバ１００が提供するバナー広告１０１をＷｅｂページ上で掲載する広告掲載サイトでは、Ｗｅｂページコンテンツ２０１を管理する掲載サーバ２００を運営している。掲載サーバ２００が管理するＷｅｂページコンテンツ２０１には、バナー広告１０１をリンク元とするリンクオブジェクト２０２が配置されている。
Ｗｅｂページコンテンツ２０１の例を図５に示す。この例は、山田太郎のホームページと称するＷｅｂページコンテンツ２０１中に、図３のようなバナー広告１０１をリンク元とするリンクオブジェクト２０２が配置された構成となっており、リンク元である追跡用サーバ１００が管理する所定の格納領域のＵＲＬ（図１のデジタルデータ格納部１２のＵＲＬ：図５では、ｈｔｔｐ：／／ａｄ．ａｎｔｉｔｈｅｆｔ．ｊｐ／ｉｍｇ／ｔａｎａｋａ−ｓａｋｅｔｅｎ．ｊｐｇと記述）が配置されている。
【００２２】
このようにして構成される情報処理装置追跡システムの動作を以下に説明する。
〈登録〉
追跡登録を行う際のＷｅｂブラウザ４０１の動作を図６に示す。
ステップＳ１１では、登録要求を行うか否かを判別する。インターネット３００を介して追跡用サーバ１００が運営する追跡登録用のＷｅｂページにアクセスし、ユーザの指示にしたがって追跡登録を行う場合にはステップＳ１２に移行する。
【００２３】
ステップＳ１２では、登録要求情報を追跡用サーバ１００に送信する。ここでは、追跡用サーバ１００が提供する追跡登録用Ｗｅｂページのメニューにしたがって登録要求情報を送信するように構成できる。
ステップＳ１３では、追跡用サーバ１００から送信されてくる登録フォーム１０２を受信する。図４に示すような登録フォーム１０２を受信すると、Ｗｅｂブラウザ４０１はこの登録フォーム１０２を情報処理装置４００のディスプレイ上に表示する。
【００２４】
ステップＳ１４では、登録フォーム１０２に入力されたユーザおよび情報処理装置を特定するための端末認識情報を追跡用サーバ１００に送信する。ここでは、ユーザによりアドレス入力ボックス１１１、パスワード入力ボックス１１２などに必要事項が入力され登録ボタン１１３が操作されると、各入力ボックスに入力された端末認識情報を追跡用サーバ１００に送信する。
ステップＳ１５では、追跡用サーバ１００によりこの情報処理装置４００に対して発行されたクッキーを受け入れる。追跡サーバ１００により発行されたクッキーは、この情報処理装置４００を一意に特定するための文字列情報を含んでおり、バナー広告１０１のＵＲＬと関連付けられている。
【００２５】
ステップＳ１６では、ハードディスクなどの記憶手段に構成されるクッキーデータベース４０２に、追跡用サーバ１００から送信されたクッキーを格納する。
追跡登録を行う際の追跡用サーバ１００の動作を図７に示す。
ステップＳ２１では、情報処理装置４００のＷｅｂブラウザ４０１から追跡登録要求があったか否かを判別する。追跡用サーバ１００が提供する追跡登録用Ｗｅｂページにアクセスしている情報処理装置４００から、所定の操作により追跡登録を要求する指示があった場合にはステップＳ２２に移行する。
【００２６】
ステップＳ２２では、登録フォーム１０２を情報処理装置４００のＷｅｂブラウザ４０１に登録フォーム１０２を送信する。
ステップＳ２３では、Ｗｅｂブラウザ４０１が送信してくる端末認識情報を取得する。ここでは、送信した登録フォーム１０２にしたがってユーザが入力したメールアドレスやパスワード、連絡先情報などのユーザを特定するための情報および情報処理端末を特定するための情報などを含む端末認識情報を取得する。
ステップＳ２４では、端末認識情報を送信してきた情報処理装置４００に対してクッキーを発行する。このクッキーは、情報処理装置４００と一意に関連付けられるものであり、ランダムな文字列を割り当てるように構成することが可能であり、また装置ＩＤやユーザＩＤなどの端末認識情報を含む構成とすることもできる。さらに、このクッキーはバナー広告１０１が格納されているＵＲＬと関連付けられており、これを受け入れたＷｅｂブラウザがそのＵＲＬから該当するデジタルデータを取得しようとする際に、データ要求情報中にこのクッキーを添付して送信するように構成される。
【００２７】
ステップＳ２５では、情報処理装置４００に対して発行したクッキーと、情報処理装置４００から取得した端末認識情報とを関連付けてクッキーデータベース１０４に格納する。
ステップＳ２６では、情報処理端末４００に対して発行したクッキーを該当するＷｅｂブラウザ４０１に送信する。
〈Ｗｅｂページアクセス〉
情報処理装置４００のＷｅｂブラウザ４０１がインターネット３００を介して公開されているＷｅｂページにアクセスする場合についてその動作を図８に示す。
【００２８】
ステップＳ３１では、掲載サーバ２００が提供しているＷｅｂページにアクセスを行うか否かを判別する。掲載サーバ２００が提供しているＷｅｂページのＵＲＬがユーザにより入力された場合や他のＷｅｂページからリンクにより掲載サーバ２００が提供しているＷｅｂページに移行する場合には、掲載サーバ２００が提供してＷｅｂページにアクセスすると判断してステップＳ３２に移行する。
ステップＳ３２では、掲載サーバ２００が提供するＷｅｂページコンテンツ２０１を受信する。
【００２９】
ステップＳ３３では、Ｗｅｂページコンテンツ２０１に配置されているリンクオブジェクト２０２に基づいて、リンク元である追跡用サーバ１００に対しデジタルデータを要求する。図５に示すＷｅｂページコンテンツ２０１の例では、リンクオブジェクト２０２として、バナー広告１０１が格納されている追跡用サーバ１００のＵＲＬが記述されており、このＵＲＬに基づいて追跡用サーバ１００に対するバナー広告１０１を要求する。このとき同時に、Ｗｅｂブラウザ４０１はバナー広告１０１に関連付けられたクッキーをクッキーデータベース４０２から読み出して、デジタルデータ要求情報に添付して追跡用サーバ１００に送信する。
【００３０】
ステップＳ３４では、追跡用サーバ１００から送信されるデジタルデータを受信する。たとえば、図３に示すような画像データで構成されるバナー広告１０１を追跡用サーバ１００から受信する。
ステップＳ３５では、追跡用サーバ１００から受信したデジタルデータを情報処理装置４００のディスプレイ上に表示する。ここでは、図５に示すような掲載サーバ２００から取得したＷｅｂページコンテンツ２０１のリンクオブジェクト２０２に、追跡用サーバ１００から取得したバナー広告１０１をはめ込んで表示する。
【００３１】
情報処理装置４００のＷｅｂブラウザ４０１からデジタルデータの要求があった場合の追跡サーバ１００の動作を図９に示す。
ステップＳ４１では、情報処理装置４００のＷｅｂブラウザ４０１からデジタルデータの要求があったか否かを判別する。Ｗｅｂブラウザ４０１からバナー広告１０１のＵＲＬに対して該当するデジタルデータの要求があった場合、ステップＳ４２に移行する。
ステップＳ４２では、Ｗｅｂブラウザ４０１から送信されるクッキーを取得する。Ｗｅｂブラウザ４０１から送信されるデジタルデータの要求情報には、バナー広告１０１のＵＲＬに関連付けられたクッキーが添付されており、追跡サーバ１００ではこのクッキーを抽出する。
【００３２】
ステップＳ４３では、抽出されたクッキーに基づいてクッキーデータベース１０４を検索する。クッキーデータベース１０４には前述したように、情報処理装置４００に対して発行したクッキーとその情報処理装置４００またはユーザを特定するための端末認識情報とが関連付けられて格納されており、送信されてきたクッキーと一致するデータを検索する。
ステップＳ４４では、情報処理装置４００のＷｅｂブラウザ４０１から送信されてきたクッキーと一致するものをクッキーデータベース１０４中から抽出し、該当する端末認識情報を取得する。
【００３３】
ステップＳ４５では、通知が必要であるか否かを判別する。情報処理装置４００のＷｅｂブラウザ４０１からのアクセスがあった場合にユーザに対する通知を行うような設定になっているような場合や該当する情報処理装置４００が既に盗難に遭ったものである旨の設定がなされているような場合には、通知を行う必要があると判断してステップＳ４６に移行する。
ステップＳ４６では、該当する連絡先に対して情報処理装置４００からのアクセスが合った旨の通知を行う。たとえば、ユーザがメールアドレス、携帯電話番号、住所などの連絡先情報を端末認識情報に含ませているような場合には、この連絡先に対して情報処理装置４００からのアクセスがあった旨の通知を行う。また、該当する情報処理装置４００が盗難に遭ったものであり、警察からの依頼がなされているような場合には、アクセス元のＩＰアドレスやアクセス時刻などのアクセス情報を含む通知情報を警察に送信するように構成すること可能である。
【００３４】
ステップＳ４７では、情報処理装置４００のＷｅｂブラウザ４０１からのアクセス情報を所定の記憶手段に格納する。このアクセス情報は、アクセス元であるＩＰアドレスやアクセス時刻などを含むものであり、情報処理装置４００の端末認識情報に関連付けて蓄積され、警察の捜査に協力する場合やその他必要な場合に提供できるようにする。
このようにした第１実施形態では、Ｗｅｂサーバからのクッキーを受入可能な通常のＷｅｂブラウザを搭載する情報処理装置４００を追跡することが可能となり、発信機や特別なソフトウェアを組み込むことなく、簡単な構成で盗難に遭った情報処理装置の追跡を行うことができる。
【００３５】
〔第２実施形態〕
本発明の第２実施形態の構成を図１０に示す。
この第２実施形態は第１実施形態とほぼ同一の構成であり、追跡用サーバ１００に追跡対象リスト１０５が追加されたものである。
この第２実施形態では、情報処理装置４００のＷｅｂブラウザ４０１から追跡登録を受け付けた後、ユーザもしくは警察などから情報処理装置４００が盗難にあった旨の通知を受け付け、該当する情報処理装置４００を追跡対象リスト１０５に追加する。
【００３６】
図９のステップＳ４５において、追跡用サーバ１００は端末識別情報に基づいて追跡対象リスト１０５を検索し、該当する情報処理装置４００が追跡対象となっているか否かを判別する。この結果、該当する情報処理装置４００が追跡対象であると判断した場合には、ユーザまたは警察などの連絡先に通知を行う。該当する情報処理装置４００が追跡対象となっていない場合には、そのアクセス情報を残さないように構成することが可能である。
このような構成とした場合には、盗難に遭った情報処理装置４００についてのみ通知を行うようにしており、通常使用の情報処理装置についてはユーザのプライバシーを保護することができる。
（付記１）
Ｗｅｂサーバが管理するデジタルデータを取得する際に前記Ｗｅｂサーバが送出するクッキーを受け入れて所定の記憶領域に保存し前記デジタルデータを再び取得する際に前記記憶領域に保存されたクッキーを前記Ｗｅｂサーバに送出するクッキー処理が可能なＷｅｂブラウザを搭載する情報処理装置の追跡方法であって、
所定のデジタルデータに関連付けられるクッキーを前記情報処理装置に対して発行する段階と、
前記情報処理装置を特定する端末認識情報に関連付けて前記クッキーをクッキーデータベースに格納する段階と、
前記デジタルデータにリンクするリンクオブジェクトを前記Ｗｅｂブラウザにより閲覧可能なＷｅｂページ上に配置する段階と、
前記情報処理装置のＷｅｂブラウザが前記Ｗｅｂページ上のリンクオブジェクトにアクセスして前記デジタルデータを要求する際に送出するクッキーを取得する段階と、
前記情報処理装置のＷｅｂブラウザから送出される前記クッキーに基づいて前記クッキーデータベースを検索し前記情報処理装置の端末認識情報を取得する段階と、
前記端末認識情報に基づいて前記情報処理装置による少なくともアクセス時刻とＩＰアドレスを含むアクセス情報を通知する段階と、を含む情報処理装置の追跡方法。
（付記２）
Ｗｅｂサーバが管理するデジタルデータを取得する際に前記Ｗｅｂサーバが送出するクッキーを受け入れて所定の記憶領域に保存し前記デジタルデータを再び取得する際に前記記憶領域に保存されたクッキーを前記Ｗｅｂサーバに送出するクッキー処理が可能なＷｅｂブラウザを搭載する情報処理装置の追跡方法であって、
前記情報処理装置からの登録要求に応じて所定のデジタルデータに関連付けられるクッキーを前記情報処理装置に対して発行する段階と、
ユーザの連絡先情報を含む前記情報処理装置を特定する端末認識情報に関連付けて前記クッキーをクッキーデータベースに格納する段階と、
前記デジタルデータにリンクするリンクオブジェクトを前記Ｗｅｂブラウザにより閲覧可能なＷｅｂページ上に配置する段階と、
前記情報処理装置のＷｅｂブラウザが前記Ｗｅｂページ上のリンクオブジェクトにアクセスして前記デジタルデータを要求する際に送出するクッキーを取得する段階と、
前記情報処理装置のＷｅｂブラウザから送出される前記クッキーに基づいて前記クッキーデータベースを検索し前記情報処理装置の端末認識情報を取得する段階と、
前記端末認識情報に基づいて前記情報処理装置による少なくともアクセス時刻とＩＰアドレスを含むアクセス情報を前記端末認識情報に含まれる連絡先情報に基づいて通知する段階と、を含む情報処理装置の追跡方法。
（付記３）
Ｗｅｂサーバが管理するデジタルデータを取得する際に前記Ｗｅｂサーバが送出するクッキーを受け入れて所定の記憶領域に保存し前記デジタルデータを再び取得する際に前記記憶領域に保存されたクッキーを前記Ｗｅｂサーバに送出するクッキー処理が可能なＷｅｂブラウザを搭載する情報処理装置の追跡方法であって、
所定のデジタルデータに関連付けられるクッキーを前記情報処理装置に対して発行する段階と、
前記情報処理装置を特定する端末認識情報に関連付けて前記クッキーをクッキーデータベースに格納する段階と、
前記デジタルデータにリンクするリンクオブジェクトを前記Ｗｅｂブラウザにより閲覧可能なＷｅｂページ上に配置する段階と、
前記情報処理装置の追跡を開始する旨の通知を受け付けて、前記情報処理装置を追跡対象リストに登録する段階と、
前記情報処理装置のＷｅｂブラウザが前記Ｗｅｂページ上のリンクオブジェクトにアクセスして前記デジタルデータを要求する際に送出するクッキーを取得する段階と、
前記情報処理装置のＷｅｂブラウザから送出される前記クッキーに基づいて、前記追跡対象リスト中に登録された情報処理装置である場合には、前記クッキーデータベースを検索し前記情報処理装置の端末認識情報を取得する段階と、
前記端末認識情報に基づいて前記情報処理装置による少なくともアクセス時刻とＩＰアドレスを含むアクセス情報を通知する段階と、を含む情報処理装置の追跡方法。
（付記４）
Ｗｅｂサーバが管理するデジタルデータを取得する際に前記Ｗｅｂサーバが送出するクッキーを受け入れて所定の記憶領域に保存し前記デジタルデータを再び取得する際に前記記憶領域に保存されたクッキーを前記Ｗｅｂサーバに送出するクッキー処理が可能なＷｅｂブラウザを搭載する情報処理装置を追跡する情報処理装置追跡システムであって、
前記情報処理装置のＷｅｂブラウザにより閲覧可能なＷｅｂページに配置されるリンクオブジェクトのリンク元となる所定のデジタルデータを管理し、前記Ｗｅｂブラウザからの要求に応じて前記デジタルデータを前記情報処理装置に送出するデジタルデータ管理手段と、
前記デジタルデータに関連付けられるクッキーを前記情報処理装置に対して発行するクッキー発行手段と、
前記情報処理装置に対して発行したクッキーと前記情報処理装置を特定する端末認識情報とを関連付けて格納するクッキーデータベースと、
前記情報処理装置のＷｅｂブラウザが前記デジタルデータを要求する際に前記情報処理装置に保存されているクッキーを添付する場合、前記クッキーに基づいて前記クッキーデータベースを検索し前記情報処理装置の端末認識情報を取得する認識情報取得手段と、
前記認識情報取得手段により取得した端末認識情報に基づいて前記情報処理装置による少なくともアクセス時刻とＩＰアドレスを含むアクセス情報を通知するアクセス情報通知手段と、を備える情報処理装置の追跡システム。
（付記５）
Ｗｅｂサーバが管理するデジタルデータを取得する際に前記Ｗｅｂサーバが送出するクッキーを受け入れて所定の記憶領域に保存し前記デジタルデータを再び取得する際に前記記憶領域に保存されたクッキーを前記Ｗｅｂサーバに送出するクッキー処理が可能なＷｅｂブラウザを搭載する情報処理装置の追跡システムであって、
前記情報処理装置のＷｅｂブラウザにより閲覧可能なＷｅｂページに配置されるリンクオブジェクトのリンク元となる所定のデジタルデータを管理し、前記Ｗｅｂブラウザからの要求に応じて前記デジタルデータを前記情報処理装置に送出するデジタルデータ管理手段と、
前記情報処理装置からの登録要求に応じて所定のデジタルデータに関連付けられるクッキーを前記情報処理装置に対して発行するクッキー発行手段と、
前記情報処理装置に対して発行したクッキーとユーザの連絡先情報を含む前記情報処理装置を特定する端末認識情報とを関連付けて格納するクッキーデータベースと、
前記情報処理装置のＷｅｂブラウザが前記デジタルデータを要求する際に前記情報処理装置に保存されているクッキーを添付する場合、前記クッキーに基づいて前記クッキーデータベースを検索し前記情報処理装置の端末認識情報を取得する認識情報取得手段と、
前記認識情報取得手段により取得した端末認識情報中の連絡先情報に基づいて前記情報処理装置による少なくともアクセス時刻とＩＰアドレスを含むアクセス情報を通知するアクセス情報通知手段と、を含む情報処理装置の追跡システム。
（付記６）
Ｗｅｂサーバが管理するデジタルデータを取得する際に前記Ｗｅｂサーバが送出するクッキーを受け入れて所定の記憶領域に保存し前記デジタルデータを再び取得する際に前記記憶領域に保存されたクッキーを前記Ｗｅｂサーバに送出するクッキー処理が可能なＷｅｂブラウザを搭載する情報処理装置を追跡する情報処理装置追跡システムであって、
前記情報処理装置のＷｅｂブラウザにより閲覧可能なＷｅｂページに配置されるリンクオブジェクトのリンク元となる所定のデジタルデータを管理し、前記Ｗｅｂブラウザからの要求に応じて前記デジタルデータを前記情報処理装置に送出するデジタルデータ管理手段と、
前記デジタルデータに関連付けられるクッキーを前記情報処理装置に対して発行するクッキー発行手段と、
前記情報処理装置に対して発行したクッキーと前記情報処理装置を特定する端末認識情報とを関連付けて格納するクッキーデータベースと、
前記情報処理装置の追跡を開始する旨の通知を受け付けて、前記情報処理装置を追跡対象リストに登録する追跡リスト管理手段と、
前記情報処理装置のＷｅｂブラウザが前記デジタルデータを要求する際に前記情報処理装置に保存されているクッキーを添付する場合、前記クッキーに基づいて前記追跡対象リスト中に登録された情報処理装置である場合には前記クッキーデータベースを検索し前記情報処理装置の端末認識情報を取得する認識情報取得手段と、
前記認識情報取得手段により取得した端末認識情報に基づいて前記情報処理装置による少なくともアクセス時刻とＩＰアドレスを含むアクセス情報を通知するアクセス情報通知手段と、を備える情報処理装置の追跡システム。
【００３７】
【発明の効果】
本発明では、一般的なＷｅｂブラウザを搭載する情報処理装置を特別な装置やソフトウェアを追加することなく追跡することが可能となり、盗難にあった情報処理装置を安価で簡単な方法により追跡することが可能となる。
【図面の簡単な説明】
【図１】本発明の基本構成を示すブロック図。
【図２】第１実施形態の簡略ブロック図。
【図３】バナー広告の例を示す説明図。
【図４】登録フォームの例を示す説明図。
【図５】広告掲載のＷｅｂページコンテンツの例を示す説明図。
【図６】追跡登録時におけるＷｅｂブラウザの動作を示すフローチャート。
【図７】追跡登録時における追跡用サーバの動作を示すフローチャート。
【図８】Ｗｅｂページへのアクセス時におけるＷｅｂブラウザの動作を示すフローチャート。
【図９】デジタルデータの要求を受けた場合の追跡用サーバの動作を示すフローチャート。
【図１０】第２実施形態の簡略ブロック図。
【図１】
2004227280.tif 000003
【図２】
2004227280.tif 000004
【図３】
2004227280.tif 000005
【図４】
2004227280.tif 000006
【図５】
2004227280.tif 000007
【図６】
2004227280.tif 000008
【図７】
2004227280.tif 000009
【図８】
2004227280.tif 000010
【図９】
2004227280.tif 000011
【図１０】
2004227280.tif 000012